(57)【要約】【課題】携帯端末を所定位置に案内する（位置決めする）ためのガイドの破損や形状変更に伴う前記ガイドの交換作業を簡素化すると共に、交換部品の製造コストを低減するようにした携帯端末用充電器を提供する。【解決手段】充電時に携帯端末が載置されるポケット（４）と、前記ポケット（４）の側面（５）から突出し、前記携帯端末に設けられた溝部に挿入されて前記携帯端末を前記ポケット（４）の所定位置に案内するガイド（６）と、前記ポケット（４）に前記ガイド（６）を着脱自在に取り付けるネジ（１８）とを備える。【選択図】図３
2008113482.tif 000002
【特許請求の範囲】
【請求項１】
充電時に携帯端末が載置されるポケットと、
前記ポケットの側面から突出し、前記携帯端末に設けられた溝部に挿入されて前記携帯端末を前記ポケットの所定位置に案内するガイドと、
前記ポケットに前記ガイドを着脱自在に取り付ける取付手段と、
を備えることを特徴とする携帯端末用充電器。
【請求項２】
前記ガイドは弾性を有する足部を備え、その突出方向と逆方向に変位可能であることを特徴とする請求項１に記載の携帯端末用充電器。
【発明の詳細な説明】
【技術分野】
【０００１】
本発明は携帯端末用充電器に関し、特に、携帯端末を所定位置に案内するためのガイドを備えた携帯端末用充電器に関する。
【背景技術】
【０００２】
従来、電源から電力の供給を受け、携帯端末の充電を行う携帯端末用充電器が知られている（例えば特許文献１参照）。
【特許文献１】特開平１０−１９９５７６号公報
【０００３】
このような携帯端末用充電器を用いて携帯端末を充電する場合、充電器側の充電用端子と携帯端末側の充電用端子が確実に接触するように、携帯端末を携帯端末用充電器の所定位置に案内する必要がある。以下、携帯端末を携帯端末用充電器の所定位置に案内するための構造の一例について、図７以降を参照して説明する。
【０００４】
図７は、従来技術に係る携帯端末用充電器の斜視図である。また、図８は図７に示す携帯端末用充電器の拡大上面図であり、図９は図８のIX−IX線断面図である。図７から図９に示すように、携帯端末用充電器１００は、上ケース１０１と下ケース１０２を備える。各ケース１０１，１０２は、それぞれ樹脂材から製作される。
【０００５】
上ケース１０１には、携帯端末（後述）が載置されるポケット１０３が形成される。ポケット１０３の両側面にはガイドリブ１０４が設けられる。ガイドリブ１０４は、射出成形等により、上ケース１０１と一体成形される。図示の如く、ガイドリブ１０４の案内方向は上下方向となる。また、ポケット１０３の両側面と直交する垂直面（後面）には、充電用端子１０５が設けられる。
【０００６】
携帯端末１１０（図７に示す）は、その両側面に溝部１１１が設けられ、背面には充電用端子（図示せず）が設けられる。携帯端末１１０をポケット１０３に載置する場合、溝部１１１にガイドリブ１０４を挿入し、さらにガイドリブ１０４の案内方向に沿って携帯端末１１０を下方にスライドさせる。これにより、携帯端末１１０はポケット１０３の所定位置に案内され（位置決めされ）、携帯端末用充電器１００の充電用端子１０５と携帯端末１１０の充電用端子が確実に接触させられる。
【０００７】
また、上ケース１０１にはさらに、スイッチ１１２とインディケータ１１３が設けられる。スイッチ１５は充電器１００のＯＮ・ＯＦＦを行う切替スイッチであり、インディケータ１１３はポケット１０３に載置された携帯端末１１０の充電状態を表示する。
【０００８】
また、下ケース１０２にはＡＣ電源の入力端子１１４やＤＣ電源の入力端子１１５が取り付けられる。上ケース１０１の内部には図示しない回路基板がネジなどによって取り付けられており、端子１１４，１１５やスイッチ１１２、インディケータ１１３は、その回路基板に配線を介して接続される。
【発明の開示】
【発明が解決しようとする課題】
【０００９】
ところで、携帯端末１１０の溝部１１１にガイドリブ１０４が挿入された状態で、携帯端末１１０をガイドリブ１０４の案内方向と異なる方向（例えば前方）に無理に引き抜こうとした場合、ガイドリブ１０４が破損するおそれがある。
【００１０】
上述したように、ガイドリブ１０４は上ケース１０１と一体成形されていることから、破損したガイドリブ１０４を交換するには上ケース１０１全体を交換する必要があり、コスト面で改善の余地があった。さらに、上ケース１０１には回路基板が取り付けられており、回路基板には配線を介して端子１１４，１１５やスイッチ１１２、インディケータ１１３が接続されていることから、上ケース１０１の交換作業は煩雑であった。
【００１１】
また、ガイドリブ１０４の形状変更を行う場合も、上ケース全体を新たに製作し、上ケース全体を交換する必要があったため、上記と同様に、コスト面や作業性の点で改善の余地を残していた。
【００１２】
従って、本発明の目的は上記した課題を解決し、携帯端末を所定位置に案内する（位置決めする）ためのガイドの破損や形状変更に伴う前記ガイドの交換作業を簡素化すると共に、交換部品の製造コストを低減するようにした携帯端末用充電器を提供することにある。
【００１３】
また、本発明の更なる目的は、ガイド自体の破損を抑制することで、交換の手間やコストをより一層低減するようにした携帯端末用充電器を提供することにある。
【課題を解決するための手段】
【００１４】
上記した課題を解決するため、本発明に係る携帯端末用充電器にあっては、充電時に携帯端末が載置されるポケットと、前記ポケットの側面から突出し、前記携帯端末に設けられた溝部に挿入されて前記携帯端末を前記ポケットの所定位置に案内するガイドと、前記ポケットに前記ガイドを着脱自在に取り付ける取付手段とを備えることを特徴とする。
【００１５】
また、前記ガイドが弾性を有する足部を備え、その突出方向と逆方向に変位可能であることを特徴とする。
【発明の効果】
【００１６】
本発明に係る携帯端末用充電器にあっては、充電時に携帯端末が載置されるポケットと、前記ポケットの側面から突出し、前記携帯端末に設けられた溝部に挿入されて前記携帯端末を前記ポケットの所定位置に案内するガイドと、前記ポケットに前記ガイドを着脱自在に取り付ける取付手段とを備えるように構成したので、ガイドが破損した場合、破損したガイドを取り外して新しいガイドを取り付けることができるため、交換作業を簡素化することができる。さらに、ガイドのみの交換でよいため、交換部品の製造コストを低減することができる。また、ガイドの形状変更を行う場合も、ガイドのみを新たに製作して既存のガイドと交換すればよいことから、交換作業を簡素化することができると共に、交換部品の製造コストを低減することができる。
【００１７】
また、本発明に係る携帯端末用充電器にあっては、前記ガイドは弾性を有する足部を備え、その突出方向と逆方向に変位可能であるように構成したので、携帯端末の溝部にガイドが挿入された状態で携帯端末をガイドの案内方向と異なる方向に引き抜こうとした場合、ガイドはその突出方向と逆方向に変位して溝部から開放される。そのため、ガイドの破損が抑制され、交換の手間やコストをより一層低減することができる。
【発明を実施するための最良の形態】
【００１８】
以下、本発明に係る携帯端末用充電器を実施するための最良の形態について、図面を参照して説明する。
【００１９】
図１は、本発明に係る携帯端末用充電器の斜視図である。また、図２は、図１に示す携帯端末用充電器の拡大上面図である。図１および図２に示すように、携帯端末用充電器（以下、単に「充電器」と呼ぶ）１は、上ケース２と下ケース３を備える。上ケース２は、ネジなどを用いて下ケース３に固定される。上ケース２および下ケース３は、共に樹脂材から製作される。
【００２０】
上ケース２の上面には、携帯端末（後述）が載置されるポケット４が２箇所形成される。各ポケット４は、充電器１の前後方向に並んで形成される。ポケット４は上面視において略方形を呈し、その開口端の高さは充電器１の前面に近づくに従って低くなるように形成される。尚、各ポケット４の構造は、開口端の高さが異なることを除いて同一である。本実施例の説明では、ポケット４も含め、同様な構成には同一符号を付す。
【００２１】
ポケット４の側面５からは、ガイド６がポケット４の内方に向けて突出する。図示の如く、ガイド６は対向する側面５の両方から突出し、対向配置される。ガイド６の構造や作用については、後に詳説する。
【００２２】
ポケット４の後面（両側面５と直交する垂直面のうち、後方に位置する面）７には孔が複数個形成され、かかる孔には充電用端子８が設けられる。尚、図２では端子８の図示を省略している。
【００２３】
また、上ケース２において２箇所のポケット４よりも前方には、スイッチ１０と２個のインディケータ１１が設けられる。スイッチ１０は充電器１のＯＮ・ＯＦＦを行う切替スイッチである。２個のインディケータ１１は例えばＬＥＤであり、それぞれポケット４に載置された携帯端末の充電状態を発光色や点灯、消灯、点滅等で表示する。尚、スイッチ１０およびインディケータ１１は、いずれも上ケース２に形成された孔に取り付けられる。
【００２４】
下ケース３には、ＡＣ電源の入力端子１２とＤＣ電源の入力端子１３が取り付けられる。スイッチ１０やインディケータ１１、各端子１２，１３は、充電器１に収容された回路基板（図示せず）に配線を介して電気的に接続される。回路基板は、具体的には、上ケース２の内部にネジなどを用いて取り付けられる。
【００２５】
次いで、上記したガイド８について詳説する。図３は、充電器１からガイド６を分解して示す斜視図であり、図４は図２のIV−IV線断面図である。尚、図４は手前側のポケット４の断面図であるが、奥側のポケット４のそれも同様である。
【００２６】
図３および図４に示すように、ガイド６は、上端に設けられた凸部６ａと、凸部６ａから下方に向けて連続する足部６ｂとを備える。ガイド６も樹脂材（例えばＰＯＭやＡＢＳ樹脂等）から製作される。ガイド６のうち、凸部６ａがポケット４の内方に向けて突出する部位である。凸部６ａはレール状を呈し、ガイド６の案内方向が上下方向となるように形成される。尚、凸部６ａの上端は、図４や後述する図５などに示すように、テーパ状にしてもよい。足部６ｂは側面視Ｌ字状を呈し、その水平部分は凸部６ａの突出方向と同方向に形成される。また、足部６ｂの水平部分には座グリ付きのネジ穴６ｃが形成される。
【００２７】
ポケット４には、ガイド６を取り付けるためのガイド取付部１５（図３に示す）が形成される。ガイド取付部１５は、ポケット４の側面５に形成された孔と底面１６に形成された凹部とからなり、かかる凹部の底面にはネジ穴１７（図４に示す）が設けられる。
【００２８】
ガイド６の足部６ｂは、その水平部分がガイド取付部１５の凹部に嵌め込まれると共に、ネジ１８によってかかる凹部に固定される。これにより、ガイド６はポケット４に固定される。また、ガイド６をポケット４から取り外す場合は、ネジ１８を外せばよい。このように、ガイド６は、ネジ１８によってポケット４に着脱自在とされる。
【００２９】
図４に示すように、ガイド６がポケット４に取り付けられたとき、ガイド６と上ケース２の側壁２ａとの間には所定の間隙（符号２５で示す）が設けられる。従って同図に矢印で示すように、足部６ｂ（特にその屈曲部）が弾性変形することにより、ガイド６（凸部６ａ）は、その突出方向とは逆方向に変位可能とされる。
【００３０】
図５は、充電器１とそこに載置される携帯端末を示す斜視図である。図５に示すように、携帯端末２０の側面２１には、ガイド６の凸部６ａと略同幅な溝部２２が設けられる。溝部２２は、より詳しくは、携帯端末２０の背面に取り付けられた電池パック２３の側面に設けられる。溝部２２は、図示の如く、携帯端末２０（電池パック２３）の下端から所定の高さまで形成される。
【００３１】
携帯端末２０をポケット４に載置する場合、溝部２２にガイド６（凸部６ａ）を挿入し、さらにガイド６の案内方向（上下方向）に沿って携帯端末２０を下方にスライドさせる。これにより、携帯端末２０はポケット４の所定位置に案内（位置決め）され、ポケット４に設けられた充電用端子８と携帯端末２０（電池パック２３）に設けられた充電用端子（図示せず）が確実に接触させられる。この状態でスイッチ１０をＯＮさせることにより、携帯端末２０の充電が行われる。このように、ガイド６（凸部６ａ）は溝部２２に挿入され、携帯端末２０をポケット４の所定位置（ポケット４に設けられた充電用端子８と電池パック２３に設けられた充電用端子が確実に接触する位置）に案内する。
【００３２】
尚、図１や図２によく示すように、ポケット４の底面１６には、円柱形の台座部３０と、扇形の台座部３１が形成される。台座部３０はガイド６よりも前方に形成される一方、台座部３１はガイド６よりも後方に形成される。台座部３０と台座部３１は、それぞれ携帯端末２０の本体と電池パック２３の載置高さを規定するためのものである。
【００３３】
携帯端末２０をポケット４から取り外す場合、凸部６ａの案内方向に沿って携帯端末２０を上方にスライドさせる。一方、携帯端末２０をガイド６の案内方向とは異なる方向（例えば前方）に無理に引き抜こうとした場合、携帯端末２０から受ける応力により、ガイド６（具体的には足部６ｂの屈曲部より上方の部位）はその突出方向と逆方向（図４の矢印方向）に変位する。これにより、凸部６ａが溝部２２から開放され、携帯端末２０がポケット４から取り外される。
【００３４】
尚、ガイドとしての案内機能を損なわない範囲で、凸部６ａの先端側の幅を狭くする、あるいは、溝部２２の開口側の幅を広くすることで、携帯端末２０からガイド６に作用する応力の方向（例えば前方）を上記した変位方向（ガイド６の突出方向とは逆方向）に円滑に変換することができ、ガイド６の破損を効果的に防止することができる。また、ガイド６や電池パック２３のケースを射出成形により製作する場合には、それらに与えられる抜き勾配により、上記した効果を得ることもできる。
【００３５】
また、上述した如く、ガイド６に挿入される溝部２２は電池パック２３に設けられる。従って、図６に示すように、電池パック２３単体をポケット４の所定位置に案内して充電することも可能である。
【００３６】
また、図示は省略するが、携帯端末２０に皮製や布製のソフトカバーを取り付けて使用する場合がある。このようなカバーを取り付ける場合、携帯端末２０側の溝部２２や端子等を被覆せず、かつ、ポケット４側のガイド６や台座部３０，３１と干渉しないようにカバーに開口部を設けておけば、カバーを取り付けたまま携帯端末２０をポケット４の所定位置に案内し、充電することもできる。
【００３７】
このように、本発明に係る携帯端末用充電器１にあっては、充電時に携帯端末２０が載置されるポケット４と、前記ポケット４の側面５から突出し、前記携帯端末２０に設けられた溝部２２に挿入されて前記携帯端末２０を前記ポケット４の所定位置（ポケット４に設けられた充電用端子８と電池パック２３に設けられた充電用端子が確実に接触する位置）に案内するガイド６と、前記ポケット４に前記ガイド６を着脱自在に取り付けるネジ１８（取付手段）とを備えるように構成したので、ガイド６が破損した場合、破損したガイド６を取り外して新しいガイドを取り付けることができるため、交換作業を簡素化することができる。さらに、ガイドのみの交換でよいため、上ケースごと交換していた従来に比し、交換部品の製造コストを低減することができる。
【００３８】
また、ガイド６（特に凸部６ａ）の形状変更を行う場合も、ガイドのみを新たに製作して既存のガイドと交換すればよいことから、上記と同様な効果を得ることができる。
【００３９】
さらに、ガイド６は弾性を有する足部６ｂを備え、その突出方向（凸部６ａの突出方向）と逆方向に変位可能であるように構成したので、携帯端末２０の溝部２２にガイド６が挿入された状態で携帯端末２０をガイド６の案内方向と異なる方向に引き抜こうとした場合、ガイド６はその突出方向と逆方向に変位して溝部２２から開放される。そのため、ガイド６の破損が抑制され、交換の手間やコストをより一層低減することができる。
【００４０】
また、ガイド６の足部６ｂをＬ字状にしたことから、ガイド６をポケット４に固定する際、ポケット４の上方からネジにアクセスできるため、交換作業をより簡素化することができる。
【００４１】
尚、上記実施例では、携帯端末２０を載置するポケット４を２箇所形成したが、１箇所であっても３箇所以上であってもよい。また、ポケット４の形状も図示のものに限られるものではない。また、ガイド６の形状や材質も上記のものに限定されるものではなく、ポケットや携帯端末の形状、使用環境、耐久年数等に応じて適宜設計し得るものである。さらに、ガイド６をネジ１８で固定するようにしたが、着脱が可能な他の固定手段、例えばスナップフィット等を用いて固定するようにしてもよい。
【００４２】
また、溝部２２を電池パック２３に設けたが、携帯端末２０の本体に設けてもよい。さらに、充電器１の充電用端子８をポケット４の後面７に設けたが、別の部位、例えば底面１６に設けてもよい。その場合、携帯端末２０（電池パック２３）の充電用端子も対応する位置（底面）に変更するのはいうまでもない。
【図面の簡単な説明】
【００４３】
【図１】本発明に係る携帯端末用充電器の斜視図である。
【図２】図１に示す携帯端末用充電器の拡大上面図である。
【図３】図１に示す携帯端末用充電器からガイドを分解して示す斜視図である。
【図４】図２のIV−IV線断面図である。
【図５】図１に示す携帯端末用充電器とそこに載置される携帯端末を示す斜視図である。
【図６】図１に示す携帯端末用充電器とそこに載置される電池パックを示す斜視図である。
【図７】従来技術に係る携帯端末用充電器の斜視図である。
【図８】図７に示す携帯端末用充電器の拡大上面図である。
【図９】図８のIX−IX線断面図である。
【符号の説明】
【００４４】
１：携帯端末用充電器、  ２：上ケース、  ３：下ケース、  ４：ポケット、  ５：ポケットの側面、  ６：ガイド、  ６ａ：凸部、  ６ｂ：足部、  １８：ネジ（固定手段）  ２０：携帯端末、  ２２：溝部
【図１】
2008113482.tif 000003
【図２】
2008113482.tif 000004
【図３】
2008113482.tif 000005
【図４】
2008113482.tif 000006
【図５】
2008113482.tif 000007
【図６】
2008113482.tif 000008
【図７】
2008113482.tif 000009
【図８】
2008113482.tif 000010
【図９】
2008113482.tif 000011